(57)【要約】【課題】動作表示ランプ用ＬＥＤを筐体で覆わなければならないことは、センサ部分の構造が複雑化する要因となる。【解決手段】本発明の一実施形態おける照明装置は、光源の点灯制御可能なセンサ部と、前記光源の点灯制御をする制御部と、を備え、前記センサ部は、周囲の明るさを検出する照度センサと、前記制御部の動作を表示するインジケータと、を含み、前記照度センサおよび前記インジケータは、並置されていて少なくとも一部が互いに露出していることを特徴とする。インジケータ【選択図】図５
2018018787.tif 000002
【特許請求の範囲】
【請求項１】
光源の点灯制御可能なセンサ部と、
前記光源の点灯制御をする制御部と、を備え、
前記センサ部は、
周囲の明るさを検出する照度センサと、
前記制御部の動作を表示するインジケータと、を含み、
前記照度センサおよび前記インジケータは、並置されていて少なくとも一部が互いに露出している
ことを特徴とする照明装置。
【請求項２】
前記センサ部は、前記照度センサおよび前記インジケータのそれぞれが設けられたセンサベースを含み、
前記センサ部において、前記センサベースの上方には開放空間が設けられ、
前記照度センサおよび前記インジケータは、前記開放空間に配置される
ことを特徴とする請求項１に記載の照明装置。
【請求項３】
前記照度センサは、円筒側面部が前記インジケータからの光を遮光するための筐体で覆われていない
ことを特徴とする請求項１または２に記載の照明装置。
【請求項４】
前記センサ部は、人の有無を検出する人感センサをさらに含む
ことを特徴とする請求項１乃至３のいずれかに記載の照明装置。
【請求項５】
前記人感センサは、前記照度センサと前記インジケータの中央に、当該照度センサおよび当該インジケータと略平行に配置される
ことを特徴とする請求項４に記載の照明装置。
【請求項６】
前記照明装置は、長尺状であって、
前記照度センサおよび前記インジケータは、前記長尺上の照明装置の一端に設けられた開口部に、前記インジケータからの光を遮光するための敷居を設けずに配置される
ことを特徴とする請求項１乃至５のいずれかに記載の照明装置。
【請求項７】
前記照明装置は、
前記光源を備え、被取付部に取り付けられるランプ本体と、
前記ランプ本体に装着される透光性カバーと、をさらに備え、
前記センサ部は、前記ランプ本体に設けられ、前記光源からの出射光方向に、前記透光性カバーの中央部に設けられた開口部から露出するように配置される
ことを特徴とする請求項１乃至６のいずれかに記載の照明装置。
【請求項８】
前記照明装置は、
前記光源を備え、被取付部に取り付けられるランプ本体と、
前記ランプ本体に装着される透光性カバーと、をさらに備え、
前記センサ部は、前記ランプ本体に設けられ、前記光源からの出射光方向に、前記透光性カバーの周辺部に設けられた開口部から露出するように配置される
ことを特徴とする請求項１乃至６のいずれかに記載の照明装置。
【請求項９】
前記照度センサは、前記円筒側面部から入射される光の影響を低減させた閾値に基づいて、周囲の明るさを検出する
ことを特徴とする請求項１乃至８のいずれかに記載の照明装置。
【請求項１０】
前記照度センサは、前記インジケータから入射される光の影響を低減させた閾値に基づいて、周囲の明るさを検出する
ことを特徴とする請求項１乃至９のいずれかに記載の照明装置。
【発明の詳細な説明】
【技術分野】
【０００１】
本発明は、照明装置に係り、照明装置を制御する情報を検出するセンサ部の構造に関するものである。
【背景技術】
【０００２】
近年、照明装置を制御する必要な情報を検出するセンサ部を備え、現在の照度に応じて光源のＯＮ・ＯＦＦや照度等の状態を制御可能な照明装置が開発されている。
【０００３】
例えば、特許文献１には、明るさセンサ用受光素子を備えるＬＥＤ照明装置が開示されている。特許文献１には、ＬＥＤ照明装置において、明るさセンサ用受光素子の検出情報に基づいて光量を調整することにより、点灯状態を連続的に可変することが記載されている。特許文献１には、このようなセンサを用いた制御により、ＬＥＤ照明装置において余分な消費電力を適切に制御するとともに省エネルギー化を図り、環境負荷を少なくすることができる旨が記載されている。
【先行技術文献】
【特許文献】
【０００４】
【特許文献１】特開２０１３−２２５５２４号公報
【発明の概要】
【発明が解決しようとする課題】
【０００５】
ここで、特許文献１に記載のＬＥＤ照明装置において、明るさセンサ用受光素子は、動作表示ランプ用ＬＥＤの近傍位置に実装されている。そして、動作表示ランプ用ＬＥＤは、蛍光灯の点灯状態を表示するために発光する。そのため、明るさセンサ用受光素子が、該動作表示ランプ用ＬＥＤの発光の影響を受け、周囲の明るさを正しく検出できない恐れがある。
【０００６】
そこで、特許文献１では、動作表示ランプ用ＬＥＤが筐体で覆われており、該動作表示ランプ用ＬＥＤの発光光を該筐体により反射させることで下方に向けて照射することにより、該発光光が明るさセンサ用受光素子に入射しないようにしている。
【０００７】
しかしながら、特許文献１に記載のＬＥＤ照明装置のように、動作表示ランプ用ＬＥＤを筐体で覆わなければならないことは、センサ部分の構造が複雑化する要因となる。
【０００８】
そこで、本発明の目的は、上記の課題に鑑み、センサ部分の構造を簡略化可能な照明装置を提供することである。
【課題を解決するための手段】
【０００９】
本発明の一実施形態おける照明装置は、光源の点灯制御可能なセンサ部と、前記光源の点灯制御をする制御部と、を備え、前記センサ部は、周囲の明るさを検出する照度センサと、前記制御部の動作を表示するインジケータと、を含み、前記照度センサおよび前記インジケータは、並置されていて少なくとも一部が互いに露出していることを特徴とするインジケータ。
【発明の効果】
【００１０】
本発明によれば、センサ部分の構造を簡略化可能な照明装置を提供することができる。
【図面の簡単な説明】
【００１１】
【図１】本発明の一実施形態における照明装置１の斜視図である。
【図２】本発明の一実施形態における照明装置１の分解斜視図である。
【図３】本発明の一実施形態における照明装置１の他の分解斜視図である。
【図４】本発明の一実施形態における照明装置１の他の分解斜視図である。
【図５】本発明の一実施形態における照明装置１の口金ユニット４の斜視図である。
【図６】本発明の一実施形態におけるセンサ部４３の斜視図である。
【図７】センサ部４３の断面図であり、（ａ）が従来におけるセンサ部４３の断面図であり、（ｂ）が本発明の一実施形態におけるセンサ部４３の断面図である。
【図８】本発明の実施形態における照明装置１の斜視図である。
【図９】本発明の実施形態における照明装置１の分解斜視図である。
【図１０】本発明の実施形態におけるセンサ部４３の斜視図である。
【図１１】センサ部４３の断面図であり、（ａ）が従来におけるセンサ部４３の断面図であり、（ｂ）が本発明の一実施形態におけるセンサ部４３の断面図である。
【図１２】センサ部４３のカバー部５０の斜視図であり、（ａ）が従来におけるセンサ部４３のカバー部５０であり、（ｂ）が本発明の一実施形態におけるセンサ部４３のカバー部５０である。
【図１３】センサ部４３の斜視図であり、（ａ）が従来におけるセンサ部４３の斜視図であり、（ｂ）が本発明の一実施形態におけるセンサ部４３の斜視図である。
【図１４】本実施の形態におけるセンサ部４３を覆うカバー部５３の斜視図であり、（ａ）が従来におけるセンサ部４３のカバー部５３であり、（ｂ）が本発明の一実施形態におけるセンサ部４３のカバー部５３である。
【図１５】本発明の一実施形態における照明装置１の斜視図である。
【図１６】本発明の一実施形態における透光性カバー２１を取り外した場合の照明装置１の斜視図である。
【発明を実施するための形態】
【００１２】
本発明に係る実施形態について、図面を参照して説明する。なお、実施形態は一例であり、これに限定されるものではない。
【００１３】
本発明の一実施形態の照明装置１のセンサ部４３において、照度センサ４５とインジケータ４６とは、並置されていて少なくとも一部が互いに露出している。これにより、照明装置１は、照度センサ４５または／およびインジケータ４６を遮光するための構成が必要なくなるため、センサ部分の構造が簡略化できる。以下では、まず照明装置１の全体の構成を説明し、続けて、センサ部４３の構成を説明する。
【００１４】
図１および図２を用いて、本発明の一実施形態における照明装置１の構成について詳細に説明する。図１は、本発明の一実施形態における照明装置１の斜視図である。図１に示すように、照明装置１は、例えば、天井等に埋め込んだ照明器具に着脱可能な直管型のＬＥＤ照明装置である。なお、照明装置１は、直管型のＬＥＤ装置に限られず、例えば図８に示すような天井直付けシーリングライトなどであってもよい。
【００１５】
照明装置１は、例えば、図１に示すように、略半割の支持基材２（図示せず）および略半割の透光性カバー３を重ね合せることで全体を略円筒形状としており、その両端に口金ユニット４を接続している。なお、支持基材２および透光性カバー３を重ね合わせたときの断面形状は真円に限定されるものではない。また、支持基材２及び透光性カバー３の断面形状が互いに半円に限定されるものでもない。そして、照明装置は略円筒形状を半割の支持基材２及び透光性カバー３で構成されるものに限定されるものではなく、略円筒形状が一体の透光性カバーで構成されるものでもよい。
【００１６】
支持基材２は、例えば、鉄に比べて軽量かつ熱伝導率の高いアルミニウム等の金属を用い、例えば、所定の断面形状（例えば、略Ｄの字型）で押出成型し、所定の長さに切断することによって形成している。
【００１７】
透光性カバー３は、発光素子基板を覆い、発光素子からの照明光を透過する。透光性カバー３は、半透明の合成樹脂、例えば、ポリカーボネートやアクリル樹脂を材料に断面略半円状の形状に形成している。
【００１８】
図２乃至図４の各々は、本発明の一実施形態における照明装置１の分解斜視図である。図２乃至図４の各々に示すように、照明装置１は、支持基材２と、透光性カバー３と、第１口金部材４０と、一対の端子ピン４２と、センサ部４３と、センサ部４３を覆うカバー部５ａおよび５ｂとを含む。なお、第１口金部材４０と、一対の端子ピン４２と、センサ部４３と、センサ部４３を覆うカバー部５ａおよび５ｂとは、図１に示す口金ユニット４を構成する。図２に示すように、支持基材２の一端には、第２口金部材４１を配置するための切り込み２ａが設けられており、第２口金部材４１は、当該切り込み２ａに嵌め込まれることにより固定される。
【００１９】
また、カバー部５ａおよびカバー部５ｂは、重なり合い、第２口金部材４１（図示せず）を構成する。図２および図３に示すように、第１口金部材４０は、その一端に円弧上の係止部４０ａを備え、当該係止部４０ａがカバー部５ａの内面に当接することにより、カバー５ａを支持する。また、図２および図３に示すように、カバー部５ｂは、その一端に円弧上の係止部５ｃを備え、当該係止部５ｃの内面が第１口金部材４０に当接することにより、第１口金部材４０を支持する。また、照明装置１は、支持基材２と透光性カバー３との間に、所定の回路を実装した電源回路基板６と、電源回路基板６を保護する保護カバー７と、反射部材８と、複数の発光素子９が接続部材１１で接続された発光素子基板１０とを含む。また、照明装置１は、電源回路基板６と保護カバー７とを接続するネジ部材４９を含む。
【００２０】
カバー部５ａは、人感センサ４４を露出するための略円形状の開口部４７と、照度センサ４５とインジケータ４６とを露出するための略楕円状の開口部４９とを備える。カバー部５ａは、その断面形状が略半円であり、断面形状が略半円であるカバー部ｂと重ね合わせることで、全体が略円筒形状の第２口金部材４１（図示せず）となる。図２および図３に示すように、カバー部５ａとカバー部５ｂとの間には、空間が設けられる。センサ部４３は、カバー部５ａとカバー部５ｂとの間に設けられた空間に配置され、カバー部５ａの開口部４７から人感センサ４４を、開口部４８から照度センサ４５およびインジケータ４６が露出する。また、図２および図３に示すように、カバー部５ｂの内面には係止部５ｄが設けられ、センサ部４３の一端が係止部５ｄに当接することにより、センサ部４３を支持するとともに、カバー部５ｂの所定の位置に固定される。なお、カバー部５ａおよびカバー部５ｂを重ね合わせたときの断面形状は真円に限定されるものではない。また、カバー部５ａおよびカバー部５ｂの断面形状が互いに半円に限定されるものでもない。
【００２１】
電源回路基板６は、図３に示すように、複数の発光素子９に対して電力を供給するための電源装置６０を含む。また、電源装置は、接続部６１を介して、端子ピン４２からの電力が供給される。電源回路基板６は、一方の口金ユニット４のカバー部５ｂの挟持片５ｅによって片持ち状態で固定される。
【００２２】
保護カバー７は、電源回路基板６を覆うとともに、電源回路基板６の底面を当該保護カバー７の底板で支持するように、断面略六角形を半割した形状である。保護カバー７は、支持基材２の内側形状に沿って支持基材２に収納されており、一方の口金ユニット４側（具体的には、カバー部５ｂ）に挟持片５ｅによって固定される。
【００２３】
反射部材８は、例えば、ＰＥＴ（ポリエチレンテレフタレート）をシート状としたものが用いられており、一面側が支持基材２に固定されている。反射部材８は、他面側によって発光素子基板１０を固定している。
【００２４】
発光素子基板１０は、電源回路基板６からの電力供給及び外部電源への接続としてコネクタ（図示せず）を接続するための接続端子（図示せず）を両端に有している。発光素子基板１０は、裏面側が反射部材８を介して支持基材２に固定され、複数の発光素子９を実装した表面側が接続部材１１によって固定される。
【００２５】
以下では、図５乃至図７を用いて、本発明の一実施形態におけるセンサ部４３について詳細に説明する。図５は、本発明の一実施形態における照明装置１の口金ユニット４の斜視図である。図５に示すように、口金ユニット４は、第１口金部材４０と第２口金部材４１とを含む。第１口金部材４０は、外部電源から電力を供給するための一対の端子ピン４２を備える。端子ピン４２は、灯具のソケット（図示せず）に接続される。
【００２６】
第２口金部材４１は、センサ部４３を備える。センサ部４３は、照明装置１の光源の点灯制御を行うために必要な情報を検出するセンサを搭載した複数のセンサを含む。照明装置１は、センサ部４３を備えることにより、人の有無や現在の照度に応じて照明装置１のＯＮ・ＯＦＦや照度等の状態を制御することができる。
【００２７】
センサ部４３は、例えば、人感センサ４４と、照度センサ４５と、インジケータ４６とを含む。人感センサ４４は、人の存在の有無を検出するセンサである。人感センサ４４は、例えば、赤外線、超音波、可視光などを用いて、人の存在の有無を検出する。
【００２８】
また、照度センサ４５は、周囲の明かりを検出するセンサである。照度センサ４５は、例えば、所定の検出範囲における明るさを検出する。照度センサ４５は、例えば、フォトトランジスタを使うセンサや、フォトダイオードを使うセンサ、フォトダイオードにアンプ回路を追加したセンサなどがある。
【００２９】
また、インジケータ４６は、人感センサ４４と照度センサ４５とによる、検出状況を表示するための発光素子である。インジケータ４６は、光源の点灯制御をする制御部の動作を表示する。制御部は、例えば、複数の発光素子９に対して電力を供給するための電源装置に含まれる点灯制御のためのＩＣ（図示せず）である。また、制御部は、センサを動作させるための回路部品であるＩＣ４３１であってもよい。制御部がＩＣ４３１の場合、当該ＩＣ４３１は、各センサの検出結果に基づいて、複数の発光素子９の点灯を制御するための指示を、複数の発光素子９に対して電力を供給するための電源装置に通知する。
【００３０】
インジケータ４６は、例えば、砲弾型の発光素子が用いられ、赤色と緑色の２色の発光を行う。インジケータ４６は、例えば、赤色の発光の際には、常時点灯状態を示す。また、インジケータ４６は、例えば、緑色の発光の際には、人感センサ４４または照度センサ４５によって制御された点灯状態を示す。また、インジケータ４６は、例えば、無点灯の際には、無通電状態を示す。インジケータ４６は、このような点灯により、照明装置１の稼働状態を示すことができる。なお、インジケータ４６は、砲弾型の発光素子である必要はなく、どのような発光素子であってもよい。
【００３１】
また、インジケータ４６は、照度センサ４５の検出結果に基づいて、発光を行ってもよい。インジケータ４６は、例えば、照度センサ４５が検出する周囲の明るさに応じて、その発光色を変化させてもよい。インジケータ４６は、例えば、照度センサ４５が検出した明るさが明るい場合には赤色に発光し、逆に、検出した明るさが暗い場合には緑色に発光してもよい。なお、インジケータ４６は、２色に限らず、１色または３色以上に発光してもよく、照度センサ４５が検出する明るさに応じて、その発光色を変化させてもよい。
【００３２】
なお、照度センサ４５は、例えば、受光した光を電流に変換し、当該電流値を所定の閾値と比較することで、周囲の明るさを検出してもよい。照度センサ４５は、例えば、受光した光に対応する電流値が所定の閾値以上の場合には、周囲の明るさが明るいと検出し、逆に、受光した光に対応する電流値が所定の閾値未満の場合には、周囲の明るさが暗いと検出してもよい。なお、照度センサ４５は、受光した光に対応する電流値と、複数の閾値を比較することで、周囲の明るさを複数の段階で検出してもよい。照度センサ４５は、例えば、受光した光に対応する電流値が第１の閾値以上であれば周囲の明るさが明るいと検出し、第１の閾値未満で第２の閾値以上であれば周囲の明るさが中程度と検出し、第２の閾値未満であれば周囲の明るさが暗いと検出してもよい。そして、インジケータ４６は、照度センサ４５が検出した周囲の明るさに応じて、その発光色を変化させてもよい。なお、照度センサ４５は、他の公知の照度センサを用いることができる。
【００３３】
図５に示すように、本発明の一実施形態において、照度センサ４５とインジケータ４６とは、口金ユニット４に設けられた開口部４７に、互いに少なくとも一部が露出するように、対向した位置に略平行に配置されている。
【００３４】
また、開口部４７において、照度センサ４５とインジケータ４７の間に遮光のための敷居は設けられていない。また、開口部４７において、照度センサ４５およびインジケータ４６のそれぞれは、遮光のための筐体で囲まれておらず、全体またはその一部が露出している。また、開口部４７において、照度センサ４５は、インジケータ４６からの光を入射可能な態様で配置されている。また、開口部４７において、インジケータ４６は、発光する光を、下方だけでなく、側面方向にも放射可能な態様で配置されている。
【００３５】
なお、本発明の一実施形態おいて、図５に示すように、開口部４７は、例えば略楕円形状であり、その長辺が照明装置１の長手方向に略垂直となるように設けられている。なお、略楕円形状の開口部４７は、その長辺が照明装置１の長手方向と平行になるように設けられていてもよい。また、開口部４７は、略楕円形状でなくてもよく、例えば、略円状や略長方形状などであってもよい。また、開口部４７は、図５に示すように、その側面が深さ方向に傾斜を設けられていてもよい。
【００３６】
図５に示すように、本発明の一実施形態において、人感センサ４４は、口金ユニット４に設けられた開口部４８に配置されている。開口部４８は、例えば略円状であり、略円状の人感センサ４４を配置可能である。なお、開口部４８は、人感センサ４４を配置可能であればどのような形状であってもよく、例えば略楕円形状や略長方形状であってもよい。
【００３７】
なお、図５では、人感センサ４４と、照度センサ４５およびインジケータ４６とは、それぞれ異なる凹部（開口部４７および開口部４８）に配置されているが、１つの凹部に配置されていてもよい。
【００３８】
図６は、本発明の一実施形態におけるセンサ部４３の斜視図である。センサ部４３は、人感センサ４４と、照度センサ４５と、インジケータ４６とが配置されるセンサ基板４３０を含む。センサ基板４３０は、例えば略長方形状であり、その上面に、センサベース４３３を介して、人感センサ４４、照度センサ４５およびインジケータ４６が設けられている。なお、センサ基板４３０の形状は、略長方形状に限られず、略円状などであってもよい。図６に示すように、照度センサ４５とインジケータ４６とは、例えば、互いに対抗するように配置される。また、センサ基板４３０は、センサを動作させるための回路部品であるＩＣ４３１と、固定抵抗４３２などが搭載されている。また、センサ基板４３０の上面と下面とには、各センサとＩＣ４３１や固定抵抗４３２とを接続する配線が設けられている。
【００３９】
照度センサ４５は、センサ基板４３０上に設けられた配線を介して、ＩＣ４３１と接続している。本発明の一実施形態において、照度センサ４５に接続されるＩＣ４３１は、インジケータ４６からの入射光の影響分を考慮して、照度を判定する際に用いる閾値を設定する。
【００４０】
また、ＩＣ４３１は、指向性が狭い照度センサ４５を複数用いて側面部から入射する光の影響分を算出して、照度を判定する際に用いる閾値を設定してもよい。このような場合においては、ＩＣ４３１は、例えば、照度を判定する際に用いる閾値において、側面部から入射する光の成分を“ゼロ”と設定する。ＩＣ４３１は、例えば、照度を判定する際に用いる閾値において、側面部から入射する光の成分を、上面から入射する光の成分よりも低く設定する。
【００４１】
このように、ＩＣ４３１は、照度を判定する際に、インジケータ４６からの入射光の影響を低減する。そのため、本発明の一実施形態において、照度センサ４５は、インジケータ４６からの光を遮光することなく、照度を判定することができる。
【００４２】
図７は、センサ部４３の断面図であり、（ａ）が従来におけるセンサ部４３の断面図であり、（ｂ）が本発明の一実施形態におけるセンサ部４３の断面図である。図７（ａ）に示すように、従来のセンサ部４３において、照度センサ４５は、センサベース４３３の一部により囲まれており、インジケータ４６からの光を遮光している。そのため、従来のセンサ部４３において、センサベース４３３は、その形状が複雑になるとともに、センサベース４３３に各センサを取付ける作業も容易ではなかった。
【００４３】
一方、図７（ｂ）に示すように本発明の一実施形態におけるセンサ部４３において、照度センサ４５は、センサベース４３３に設けられ、当該センサベース４３３の上方部に設けられた開放空間に配置される。また、インジケータ４６も、センサベース４３３に設けられ、当該センサベース４３３の上方部に設けられた開放空間に配置される。このように、図７（ｂ）に示すように、照度センサ４５は、センサベース４３３の一部でその周りを囲む必要がなく、当該センサベース４３３の形状が複雑なものにならない。そして、照度センサ４５とインジケータ４６とは、センサベース４３３の上方部に設けられた開放空間において、互いに少なくとも一部が露出するように、対向した位置に略平行に配置される。
【００４４】
このように、本発明の一実施形態における照明装置は、互いに少なくとも一部が露出するように、対向した位置に略平行に配置することにより、センサ部分の構造を簡略化することができる。
【００４５】
本発明の一実施形態におけるセンサ部４３は、直管型の照明装置だけでなく、例えば、天井直付けのシーリングライトにも適用可能である。以下では、図８および図９により、本実施の形態における照明装置１の構成について説明し、図１０および図１１により、本実施の形態におけるセンサ部４３の構成について説明する。
【００４６】
図８は、照明装置１を天井直付けのシーリングライトとした場合における、照明装置１の斜視図である。照明装置１は、図８に示すように、天井面の被取付部（図示せず）に取付けられるランプ本体１２（図示せず）と、ランプ本体１２に装着される透光性カバー１３と、透光性カバーの一部から露出するセンサ部４３とを含む。図８に示すように、透光性カバー１３は、その上面中央部に、センサ部４３を露出するための円状の開口部が設けられる。センサ部４３は、透光性カバーの開口部から露出するように配置され、照明装置１を制御する必要な情報を検出する。
【００４７】
図９は、本実施の形態における照明装置１の分解斜視図である。照明装置１は、略円盤形状のベース部材１５と、ベース部材１５に設けられる引掛刃１６と、引掛刃１６を固定するための刃固定ネジ１７を含む。また、照明装置１は、発光素子９が実装される基板１９と、基板１９に取付けられる放熱部材１８と、基板１９に配置されるセンサ部４３とを含み、基板１９と放熱部材１８とベース部材１５とは、第１固定ネジ１４および第２固定ネジ２０にて互いに固定される。
【００４８】
ベース部材１５は、引掛刃１６により、被取付部である天井面の配線器具（図示せず）に電気的かつ機械的に連結される。ベース部材１５は、引掛刃１６を固定するための略矩形の引掛刃孔１５ａを備え、引掛刃１６と連結される。ベース部材１５は、例えば、天井面にあらかじめ設置されている配線器具の孔に、当該ベース部材１５に連結された引掛刃１６を挿入し回動することにより、天井面に固定される。なお、ベース部材１５は、例えばポリブチレンテレフタレート（ＰＢＴ）等の熱可塑性合成樹脂などの絶縁性材料で形成される。そのため、引掛刃１６が取り付けられたベース部材１０の間で、電気的に短絡を生じることがなく、引掛刃１６を適切にベース部材１０に設けることができる。また、ベース部材１５は、複数の固定ネジ１４が挿入される溝１５ｂを備え、固定ネジ１４により、放熱部材１８および基板１９に固定される。
【００４９】
放熱部材１８は、中央に放熱開口部を有する略円環形状であり、冷間圧延鋼板（ＳＰＣＤ）等の金属材料で形成される。放熱部材１８は、基板１９の裏面に接し、当該基板１９の裏面に設けられた発光素子９からの熱を放熱し、発光素子９の温度上昇を低減する。
【００５０】
基板１９は、発光素子９と、センサ部４３とを含む。発光素子９は、例えばＬＥＤ素子である。センサ部４３は、複数のセンサ部を含み、例えば、人感センサ４４、照度センサ４５およびインジケータ４６を含む。また、基板１９と放熱部材１８は、ネジ２０により固定される。
【００５１】
以下では、図１０および図１１を用いて、本実施の形態におけるセンサ部４３について詳細に説明する。図１０は、本実施の形態におけるセンサ部４３の斜視図である。センサ部４３は、人感センサ４４と、照度センサ４５と、インジケータ４６とが配置されるセンサ基板４３０を含む。センサ基板４３０は、例えば略円状でありその上面中央部において、センサベース４３３を介して、人感センサ４４を中央に、その両側に照度センサ４５およびインジケータ４６が設けられている。また、センサ基板４３０は、センサを動作させるための回路部品であるＩＣ４３１と、固定抵抗４３２などが搭載されている。各センサは、ＩＣ４３１および固定抵抗４３２と配線を介して接続している。
【００５２】
図１０に示すようなセンサ部４３において、インジケータ４６の光は、センサ部４３のカバー部（図示せず）に反射し、照度センサ４５へ入射する。そのため、従来の照明装置１では、インジケータ４６からの光を遮光するための構成が必要であった。しかし、本実施の形態においては、照度センサ４５に接続されるＩＣ４３１は、インジケータ４６からの入射光の影響分を考慮して、照度を判定する際に用いる閾値を設定する。そのため、本実施の形態における照度センサ４５は、インジケータ４６からの光を遮光するための構成が不要となる。
【００５３】
図１１は、センサ部４３の断面図であり、（ａ）が従来におけるセンサ部４３の断面図であり、（ｂ）が本発明の一実施形態におけるセンサ部４３の断面図である。図１１（ａ）に示すように、従来のセンサ部４３において、照度センサ４５は、センサベース４３３により囲まれており、インジケータ４６からの光を遮光していた。そのため、従来のセンサ部４３において、センサベース４３３は、その形状が複雑であるとともに、センサベース４３３に各センサを取付ける作業も容易ではなかった。一方、図１１（ｂ）に示すように本発明の一実施形態におけるセンサ部４３において、照度センサ４５は、センサベース４３３で覆う必要がなく、当該センサベース４３３の形状が複雑なものにならない。
【００５４】
図１２は、本実施の形態におけるセンサ部４３を覆うカバー部５０の斜視図であり、（ａ）が従来におけるセンサ部４３のカバー部５０であり、（ｂ）が本発明の一実施形態におけるセンサ部４３のカバー部５０である。図１２（ａ）に示すように、従来のセンサ部４３のカバー部５０は、インジケータ４６を囲むための筐体部５１が設けられており、インジケータ４６からの光を遮光していた。そのため、従来のセンサ部４３のカバー部５０は、その形状が複雑であった。一方、図１２（ｂ）に示すように本発明の一実施形態におけるセンサ部４３のカバー部５０は、インジケータ４６を囲む必要がなく、（ａ）にあるような筐体部５１が設けられていない。そのため、センサ部４３のカバー部５０の形状が複雑なものにならない。
【００５５】
このように、本実施の形態における照明装置１は、照度センサ４５の側面部を例えばセンサベース４３３で覆う構成が必要なくなり、センサ部４３の構造を簡略化することができる。また、インジケータ４６の側面部を例えば筐体等で囲む必要がなく、センサ部４３のカバー部５０の形状も簡略化することができる。
【００５６】
また、本発明の一実施形態におけるセンサ部４３は、天井埋め込み式のシーリングライトにも適用可能である。以下では、天井埋め込み式のシーリングライトにおけるセンサ部４３の詳細について、図１３を用いて説明する。
【００５７】
図１３は、センサ部４３の斜視図であり、（ａ）が従来におけるセンサ部４３の斜視図であり、（ｂ）が本発明の一実施形態におけるセンサ部４３の斜視図である。図１３（ａ）に示すように、従来のセンサ部４３において、照度センサ４５は、筐体５２により囲まれており、インジケータ４６からの光を遮光していた。そのため、従来のセンサ部４３は、その形状が複雑であった。一方、図１３（ｂ）に示すように本発明の一実施形態におけるセンサ部４３において、照度センサ４５は、筐体５２で覆う必要がなく、センサ部４３の構成が複雑にならない。
【００５８】
図１４は、本実施の形態におけるセンサ部４３を覆うカバー部５３の斜視図であり、（ａ）が従来におけるセンサ部４３のカバー部５３であり、（ｂ）が本発明の一実施形態におけるセンサ部４３のカバー部５３である。図１４（ａ）に示すように、従来のセンサ部４３のカバー部５３は、インジケータ４６を囲むための筐体部５４が設けられており、インジケータ４６からの光を遮光していた。そのため、従来のセンサ部４３のカバー部５３は、その形状が複雑であった。一方、図１４（Ｆｂ）に示すように本発明の一実施形態におけるセンサ部４３のカバー部５３は、インジケータ４６を囲む必要がなく、（ａ）にあるような筐体部５４が設けられていない。そのため、センサ部４３のカバー部５３の形状が複雑なものにならない。
【００５９】
このように、本実施の形態における照明装置１は、照度センサ４５の側面部を例えば筐体で覆う構成が必要なくなり、センサ部４３の構造を簡略化することができる。また、インジケータ４６の側面部を例えば筐体等で囲む必要がなく、センサ部４３のカバー部５３の形状も簡略化することができる。
【００６０】
本発明の一実施形態におけるセンサ部４３は、例えば、天井直付けのダウンライトにも適用可能である。以下では、図１５により、本実施の形態における照明装置１の構成について説明し、図１６により、本実施の形態におけるセンサ部４３の構成について説明する。
【００６１】
図１５は、照明装置１を天井直付けのダウンライトとした場合における、照明装置１の斜視図である。なお、図１５は、照明装置１を下面方向から見た外観斜視図である。照明装置１は、図１５に示すように、透光性カバー２１と、ランプ本体２２と、センサ部４３とを含む。センサ部４３は、透光性カバー２１の周縁部の一部に設けられ、各センサが露出可能なように、開口部が設けられている。センサ部４３は、人感センサ４４と、照度センサ４５と、インジケータ４６とを備える。
【００６２】
図１６は、透光性カバー２１を取り外した場合の照明装置１の斜視図である。照明装置１は、ランプ本体２２の内部に、固定部材２３と、発光素子２４と、センサ部４３とを含む。固定部材２３は、外部電源電線の延長線を係止する溝部とネジ穴が形成された絶縁性樹脂の一体成型品である。発光素子２４は、例えば、ＬＥＤ素子であり、発光光を放射する。図１３に示すように、センサ部４３は、ランプ本体２２の周縁部の一部に配置されている。センサ部４３は、人感センサ４４を中央に、その両側に照度センサ４５およびインジケータ４６が設けられている。
【００６３】
図１６に示すようなセンサ部４３において、インジケータ４６の光は、ランプ本体２２の内面に反射し、照度センサ４５へ入射する。そのため、従来の照明装置１では、インジケータ４６からの光を遮光するための構成が必要であり、センサ部４３の構成が複雑であった。しかし、本実施の形態においては、照度センサ４５に接続されるＩＣ４３１（図示せず）は、インジケータ４６からの入射光の影響分を考慮して、照度を判定する際に用いる閾値を設定する。そのため、本実施の形態における照度センサ４５は、インジケータ４６からの光を遮光するための構成が不要となる。そのため、図１６に示すように、本実施の形態において、照度センサ４５は、例えば筐体等で囲まれておらず、インジケータ４６からの発光光を遮光する必要がない。そのため、本実施の形態では、センサ部４３の形状が複雑なものにならない。
【００６４】
このように、本実施の形態における照明装置１は、照度センサ４５の側面部を筐体等で覆う必要がなくなり、センサ部分の構造を簡略化することができる。
【００６５】
なお、以上の説明において、「垂直」「平行」「平面」等の記載がある場合に、これらの各記載は厳密な意味ではない。すなわち、「垂直」「平行」「平面」とは、設計上や製造上等における公差や誤差が許容され、「実質的に垂直」「実質的に平行」「実質的に平面」という意味である。なお、ここでの公差や誤差とは、本発明の構成・作用・効果を逸脱しない範囲における単位のことを意味するものである。
【００６６】
また、以上の説明において、外観上の寸法や大きさが「同一」「等しい」「異なる」等の記載がある場合に、これらの各記載は厳密な意味ではない。すなわち、「同一」「等しい」「異なる」とは、設計上や製造上等における公差や誤差が許容され、「実質的に同一」「実質的に等しい」「実質的に異なる」という意味である。なお、ここでの公差や誤差とは、本発明の構成・作用・効果を逸脱しない範囲における単位のことを意味するものである。
【００６７】
また、以上既に述べた以外にも、上記実施の形態による手法を適宜組み合わせて利用しても良い。例えば、上記実施の形態では、照明装置１を室内灯に適用したものを開示したが、例えば、外灯や、天井から吊り下げた室内灯、ポール等に固定した街灯、などにも適用可能である。また、上記実施の形態で開示した光源には、例えば、レーザーダイオードや有機発光ダイオードなどを利用することができ、光源の種類は特に限定されるものではない。
【符号の説明】
【００６８】
１  照明装置
２  支持基材
３  透光性カバー
４  口金ユニット
４０  第１口金部材
４１  第２口金部材
４２  端子ピン
４３  センサ部
４４  人感センサ
４５  照度センサ
４６  インジケータ
４７  開口部
４８  開口部
４９  ネジ部材
４３０  センサ基板
４３１  ＩＣ
４３２  固定抵抗
４３３  センサベース
５  カバー部
５０  カバー部
５１  筐体部
５２  カバー部
５３  筐体
５４  筐体部
６  電源回路基板
７  保護カバー
８  反射部材
９  発光素子
１０  発光素子基板
１１  接続部材
１２  ランプ本体
１３  透光性カバー
１４  固定ネジ
１５  ベース部材
１６  引掛刃
１７  刃固定ネジ
１８  放熱部材
１９  基板
２０  ネジ
２１  透光性カバー
２２  ランプ本体
２３  固定部材
２４  発光素子
【図１】
2018018787.tif 000003
【図２】
2018018787.tif 000004
【図３】
2018018787.tif 000005
【図４】
2018018787.tif 000006
【図５】
2018018787.tif 000007
【図６】
2018018787.tif 000008
【図７】
2018018787.tif 000009
【図８】
2018018787.tif 000010
【図９】
2018018787.tif 000011
【図１０】
2018018787.tif 000012
【図１１】
2018018787.tif 000013
【図１２】
2018018787.tif 000014
【図１３】
2018018787.tif 000015
【図１４】
2018018787.tif 000016
【図１５】
2018018787.tif 000017
【図１６】
2018018787.tif 000018